(57)【要約】      （修正有）【課題】バインダーに取り付けられた書類の、ページに設けられたインデックスラベルが見えるようにする用紙拡張システムを提供する。【解決手段】バインダーにページを固定する手段４６を有する用紙拡張部材４０を、特定のページ４２の綴じ側のページの余白に沿ってページの側部に固定することにより、ページの全体的な幅を増加させ、反対側の余白へ設けたインデックスラベルを、他のページより突出させる。【選択図】図７
2009107327.tif 000002
【特許請求の範囲】
【請求項１】
書類のページサイズを少なくとも一方向に拡大して、そのページの余白上のラベルを見えやすく係合可能にする、ページサイズ拡張部材であって、前記ページサイズ拡張部材が、
ａ）ラベルを有するページの幅よりも通常小さい幅を有する、基板の拡張ストリップと、
ｂ）ページの縁に、拡張ストリップを動作可能に固定することにより、そのページの全体的な幅を増加させる、拡張ストリップ上の固定手段とを備え、
ｃ）ページの幅の拡張によって、そのページの外側の余白上のラベルが、他のページを通り越えて拡張し、これにより、ラベルが見えやすく係合可能となる、ページサイズ拡張部材。
【請求項２】
前記拡張ストリップが、ページの長さとほぼ等しい長さ又はページの長さよりも短い長さを有することを更に特徴とする、請求項１に記載のページサイズ拡張部材。
【請求項３】
前記ページが、バインダーにページを固定する手段を有し、ページの拡張ストリップが、
ａ）ページ自体がバインダーに固定可能であるのと同じ方法で、バインダーに拡張ストリップを動作可能に固定する手段
を備えることを更に特徴とする、請求項１に記載のページサイズ拡張部材。
【請求項４】
前記ページ拡張部材を固定する手段が、ページと同じ位置に配置された穴を備えることを更に特徴とする、請求項３に記載のページサイズ拡張部材。
【請求項５】
前記ページが、ページスリーブプロテクタ内に収容されているため、ページのサイド余白が容易に係合できず、前記ページサイズ拡張部材が、
ａ）スリーブ内でページを位置づけする手段を備え、拡張ストリップがスリーブに固定され、これによりスリーブのサイド余白が拡張されることを含むことを更に特徴とする、請求項１に記載のページサイズ拡張部材。
【請求項６】
前記動作可能に固定する手段が、
ａ）前記ページサイズ拡張部材上の粘着部分
を含むことを更に特徴とする、請求項３に記載のページサイズ拡張部材。
【請求項７】
書類の前記ページが、インデックスラベル付仕切りページであることを更に特徴とする、請求項１に記載のページサイズ拡張部材。
【請求項８】
類似のページから成る書類のページサイズを少なくとも一方向に拡大する方法であって、前記方法が、
ａ）ページサイズ拡張部材を、ページの余白に沿ってページの側部に固定することにより、該ページの全体的な幅を増加させるステップと、
ｂ）拡張された該ページの反対側の余白に、ラベルを動作可能に固定することにより、ラベルを見えやすく係合可能にするステップと、
ｃ）バインダーの綴じ具に前記ページと基板を取り付けることにより、バインダーに取り付けたときに、該ページが書類の他のページを越えて拡張するステップと
を含む方法。
【請求項９】
請求項８に記載の書類のページサイズを拡張する方法であって、前記方法が、
ａ）前記ページサイズ拡張部材上に、基板と、ページサイズ拡張部材なしでページが固定されるのと同じ方法で、ページが取り付けられたバインダー内に、拡張部材を固定する手段とを設けるステップ
を含むことを更に特徴とする方法。
【請求項１０】
前記方法が、前記ページサイズ拡張部材を、予め形成されたラベル付仕切りページに取り付けるステップを含むことを更に特徴とする、請求項８に記載の書類のページサイズを拡張する方法。
【請求項１１】
前記方法が、
ａ）該ページの余白にページサイズ拡張部材を取り付けることにより、該ページの全体的な幅を増加させるステップと、
ｂ）ラベルを該ページの反対側の余白に設けるステップ
を含むことを更に特徴とする、請求項８に記載の書類のページサイズを拡張する方法。
【発明の詳細な説明】
【技術分野】
【０００１】
（関連出願の相互参照）
本出願は、書類のインデックス作成システムに関する、２００７年３月９日出願の米国仮特許出願第６０／９０６，０７３号の優先権を主張するものである。
本発明は概して、特定の新しく実用的な改善が施された、バインダーに取り付け可能な複数のページを含む書類のページのための用紙拡張システムに関し、更に具体的には、保護スリーブに収容されているかいないかに関わらず、書類の１以上のページの幅を拡張させ、これら特定ページのバインダーの余白に追加的な幅を付加することにより、反対側の余白上のインデックスラベルが見えるように、バインダーに取り付け可能である、記載された種類の用紙拡張システムに関するものである。
【背景技術】
【０００２】
大多数の書類においては、特にページを交換若しくは新しいページを追加、あるいは他のページを移動し、そのバインダーの別の場所に保管したりする場合に、２リングバインダー又は３リングバインダー等の、多くの場合リングバインダーとも呼ばれる、いわゆるルーズリーフのバインダーにこれら書類のページを取り付けることが一般的である。しばしば、書類の個々のページは、保護スリーブに挿入されてから、２リングバインダー又は３リングバインダー等のルーズリーフのバインダーに取り付けられる。
【０００３】
多くの場合、他の用紙と共にバインダーに取り付けることができるような幅を有する、ラベル付用紙がある。従って、例えば、一般的な８．５×１１インチの用紙は従来、複数リングのバインダーに取り付け可能である。ラベル付ページは同様に同じサイズであるが、外側に拡張しているラベルが設けられている。多くの場合、８．５インチよりもわずかに幅の大きいページがあると、ラベルが覆われて見えなくなり、更に係合不能となってしまう。
【０００４】
場合によっては、書類の一部を形成する１枚の紙の全体性を保護するために、これらのページが個々にいわゆる「用紙プロテクタ」に挿入されている。しかしながら、用紙プロテクタの中のページは通常、８．５インチよりも大きい幅を有しているため、仕切り用紙上のラベルに対する視覚及びラベルの係合性の両方を妨げることになる。
【０００５】
現在入手可能な用紙プロテクタ、特にバインダーに取り付けられる用紙プロテクタの問題の１つは、用紙プロテクタがリングバインダーに取り付けるための複数の穴を有するサイドストリップを有していることである。このサイドストリップにより、保護スリーブ内のページの全体的な幅が増加し、ページが書類の他の多数のページの余白を越えて側部に拡張することとなる。
【０００６】
結果的に、インデックスラベル等が書類の１以上のページのサイド余白に付加されている場合であっても、これらは少しも見えやすいわけではなく、その上、ユーザーの指で簡単に係合することができない。このような状況においては、ラベルが実質的に使い物にならないばかりか、ページを適切にめくるのも妨げられる。
【０００７】
様々な理由で、書類のページのラベルを追加することも、一般的である。これらのラベルは、その書類の１ページ又はまとまったページを分離するのに使用することができる。ラベルはまた、ユーザーが見たいと望む書類のある部分を手早く選択することを可能にするのに、使用することができる。
【発明の開示】
【発明が解決しようとする課題】
【０００８】
本発明は従って、バインダーに取り外し可能に取り付けられた書類にインデックスラベル付仕切りページを追加する、従来のシステム特有の問題を克服するのに有効な特定の物品を提供する。これら物品の全てではないが一部を、下記に記載する。
【０００９】
従って、本発明の主たる目的は、複数ページの書類の特定のページ、特にインデックスラベル付ページの幅を拡張し、最初から他のページよりも大きい幅を有するページに覆われている場合においても、これらラベル付ページ上のラベルを見えやすく、係合可能にするシステムを提供することである。
【００１０】
本発明の更なる目的は、保護スリーブ内に位置する１以上のページのサイド余白の１箇所に付加されることにより、反対側のサイド余白又は他のページの幅を拡張する（本明細書においては「拡張ストリップ」と呼ばれる）追加的なストリップを提供することである。これは特に、これら予め形成されたページ上のラベルが見えやすく係合可能となるように、記載された種類の拡張ストリップを、従来のインデックスラベル付仕切りページに付加することが好ましい。この方法により、保護スリーブ内の他のページが、バインダーに取り付けられたときに、書類のインデックスラベル付仕切りページの外側に向いたサイド余白上のラベルを覆い隠すことがなく、ユーザーの指によりこれらのラベルを係合することが可能となる。
【課題を解決するための手段】
【００１１】
本発明は比較的単純であるが、同様のページを収容する書類用バインダーに結合可能な複数ページを有する書類の一部を形成している、１枚の紙又は他のシート状の資料の寸法の１つを増加させるのに、非常に効果的なシステムである。前述したように、書類の特定ページは、保護スリーブの中に収容されている。保護スリーブが、サイド余白に位置する取り付けストリップを有する場合、そのページとスリーブを組み合わせた全体的な幅が他のページの幅を超えて増加する。これにより視界がさえぎられ、このため、他のページに存在するかもしれないラベルを認識することができなくなる。
【００１２】
一番単純な形態において、本発明のシステムは、１枚の紙又はその紙の保護スリーブの寸法の１つに付加されるのに十分な寸法を有することにより、その紙又はスリーブの幅を拡張させる周縁ストリップを利用する。これにより、ページの右側の余白上にラベルを有しているページ、そして特に予め形成されたインデックスラベル付仕切りページを、書類に加えてバインダーに取り付けることができる。「周縁ストリップ」とも呼ばれる、各ページの左側の余白上に組み込むことができる本発明の周縁ストリップが、書類の他のページを越えて拡張し、ラベルが見えやすく、ユーザーにより容易に認識されるように、少なくとも他のページを超えて、あるいはこれらのページの保護カバーを超えて、ラベルが拡張することが可能になる。
【００１３】
本発明によれば、本明細書において「拡張ストリップ」とも呼ばれるストリップは、例えばインデックスラベル付仕切りページのように、ページの片側の長手方向の余白に付加される。この場合、サイズを拡張するストリップは、ページのサイド余白をストリップの幅に等しい寸法だけ外向きに拡張するため、本明細書において「拡張ストリップ」と呼ばれる。
【００１４】
ページに追加的な長手方向の拡張ストリップを付加することで、バインダーに取り付けられたときに、そのページの全体的な幅が増加する。これにより、そのページに据付のインデックスラベルが、ある量の複数ページにおいて、他のページを越えて拡張することが可能となり、目に見えるようになり、係合可能となる。
【００１５】
本発明により使用することができるバインダーは、基本的にそのバインダーにページを取り付けることができる、全てのタイプのバインダーである。更に、保護スリーブに収容されている場合であっても、ページをバインダーに永久的に取り付ける、あるいは取り外し可能に取り付けることができる。
本発明をここまで総括的に説明してきたが、ここで添付の図を参照する。
【発明を実施するための最良の形態】
【００１６】
ここで更なる詳細、及び図における参照番号を参照する。図１に、予め形成された、市販のインデックスラベル付仕切りページ１０２と関連させて図示される、従来の書類のページ１００を示す。この場合、仕切りページ１０２はページ１００と同じ幅を有していることが分かる。この結果、バインダーに複数の書類が取り付けられた場合に、バインダーの穴がリングの全体的な直径のサイズよりも大きい可能性があるため、何枚かのページが仕切りページ１０２上のラベル１０４を越えて拡張する。
【００１７】
図２に、同じ従来のページ１００と共に、市販の予め形成されたインデックスラベル付仕切りページ１０２を示す。この場合、ページ１０２はまた、左側の余白上に拡張ストリップ１０６を有している状態で図示されている。図２に示すページを良く見ると、市販の予め形成されたインデックスラベル付仕切りページ１０２に拡張ストリップ１０６が付加されたことによって、仕切りページ１０２が、従来のページ１００の右側の余白を実質的に越えて拡張されていることがわかる。この方法では、ラベル１０４は見えやすく、更に、ユーザーの指で容易に係合可能である。
【００１８】
本発明は、予め形成されたインデックスラベル付仕切りページへの使用に非常に効果的であるが、本発明の拡張ストリップは、バインダーの結合部分におけるバインダーストリップに他の書類と組み合わせて取り付けることができる、様々な書類全てに対する使用に効果的である。
【００１９】
ここで図３の上部を参照すると、ここでは書類１０が図示され、図３の下部にはまた、バインダー取り付けストリップ１４を有する透明な保護エンベロープ又はスリーブ１２に取り込まれた書類１０が図示されている。この時点では、取り付けストリップ１４に、リングを受容し且つリングバインダーに取り付けるための適切な空間的関係を有する穴１６が設けられていることがわかる。図１を参照すると、ページ１０の全体的な幅は基本的に、取り付けストリップ１４の幅だけ拡張されていることがわかる。
【００２０】
図４に、バインダー穴２２を有するページ２０を示す。図４、及び図３の下部を参照すると、保護スリーブ内のページとスリーブ内に収容されていないページ２０がいずれも複数リングのバインダーに取り付けられている時に、保護スリーブ内のページが、右側の余白において、スリーブ内に収容されていないページ２０の幅をかなり超えて、外向きに拡張されていることがわかる。
【００２１】
図５に、右側の側部にラベル２４を有する通常のページ２０と関連させた、取り付けストリップ１４とバインダー穴１６を有する、図３に示した種類の保護スリーブ１２に取り付けられたページ１０を示す。図５を参照すると、保護スリーブ１２に収容されたページ１０が、ラベル２４が見えなくなり、容易に係合できなくなるほどに、ラベル２４の縁を越えて、又は少なくともラベル２４の縁すれすれまで拡張されていることが確認できる。
【００２２】
ここで図６を参照すると、バインダー穴２２を有し、保護スリーブ２６に収容されている、図４の用紙２０と同様の用紙２０を見ることができる。更に、保護スリーブ２６には、図６に示すように、バインダー穴３２を有する取り付けストリップ３０を設けることができる。保護スリーブ２６に収容される用紙２０と共に、他のページをバインダーに取り付けた場合、用紙上のラベルは、保護スリーブ２６の右側の縁を越えて拡張しない。
【００２３】
この問題を克服するために、図７に示す用紙拡張部材４０が、（図６のページ２０に相当する）ページ４２に付加される。用紙拡張部材はページ４２の左側の縁に固定され、ページ４２の左側の余白上の取り付け穴４４全てを通常覆っている。用紙拡張部材４０には従って、バインダーリング内に嵌めこまれる取り付け穴４６が設けられている。この場合、用紙拡張部材を追加することによって、ページ４２の幅が、図６に示すように、少なくとも保護スリーブ２６と、保護スリーブに組み込まれたページ２０を組み合わせた全体的な幅と等しくなることがわかる。
【００２４】
拡張ストリップの一実施形態は、図７〜９に更に詳細に図示されている。全ての拡張ストリップにおいて、拡張ストリップが取り付けられたページ又は用紙の全体的な幅を増加させる部分がなければならない。更に、ページ又は用紙に取り付ける何らかの手段が必要である。図７〜９に示す本発明の実施形態では、拡張ストリップ４０は、用紙４２のバインダーの余白又はそうでなければ、その用紙向けの保護スリーブに取り付けられる縦型ストリップ５０を備えている。従って、図７〜８を参照すると、用紙拡張部材４０には、ページ又は用紙４２の反対側に拡張されている１対のフラップ５６及び５８が設けられていることが分かる。加えて、各フラップ５６及び５８には、用紙４２の反対の平面に接着的に固定するための、接着剤の塗工６０及び６２が施されていることが確認できる。これにより、用紙４２の幅は、フラップ５６及び５８の寸法を含まない、用紙拡張部材４０のサイズに等しい分だけ拡張されている。
【００２５】
図７〜９を更に参照することにより、拡張ストリップ４０には、ページ及び保護スリーブと同じバインダーに取り付けるように位置づけされた穴４６が設けられていることが分かる。従って、拡張ストリップ上の穴４６は、用紙４２上の穴と同様に、互いに同じ間隔を有している。
【００２６】
当然ながら、本発明の用紙拡張部材を保護用紙に付加することもできる。単純な例として、書類の全てのページが個々に、それぞれの保護スリーブに収容されている場合に、これら保護スリーブのうちの幾つかが他とサイズが異なるときには、用紙拡張部材を追加する必要がある。このような例の一つが、図９に図示されており、ここでは用紙拡張部材４０が、保護スリーブ７２に収容されているページ７４を有する保護スリーブ７２に固定されている。ラベル７６は、保護スリーブの右側の余白に固定されている。これにより、この特定のページが書類の他のページを越えて拡張されていることが分かる。
【図面の簡単な説明】
【００２７】
【図１】従来の、予め形成された、市販のインデックスラベル付仕切りページと並んだ、書類のページの分解平面図である。
【図２】予め形成された、市販のインデックスラベル付仕切りページに付加された拡張ストリップを示す、図１と同様の分解平面図である。
【図３】側部にバインダー用取り付けストリップを有する保護スリーブに挿入されたページの分解平面図である。
【図４】図３のページとスリーブの組み合わせに付加された追加的な幅を図示する、図３の保護スリーブ内のページと比較して示すページの平面図である。
【図５】ページに付加されたラベルと、取り付けストリップを有する保護スリーブに収容されたページとの比較幅を示す、図３と同様の分解平面図である。
【図６】書類のページと、従ってラベルを保護スリーブに取り付けることが可能である保護スリーブの分解平面図である。
【図７】書類のページに付加された拡張ストリップの使用を示す、分解平面図である。
【図８】書類のページと、そのページの長手方向の縁へのページ拡張部材の取り付けを示す、斜視図である。
【図９】書類を収容している保護スリーブの縁に取り付けられた拡張ストリップと、その反対側の余白上のラベルを示す、平面図である。
【図１】
2009107327.tif 000003
【図２】
2009107327.tif 000004
【図３】
2009107327.tif 000005
【図４】
2009107327.tif 000006
【図５】
2009107327.tif 000007
【図６】
2009107327.tif 000008
【図７】
2009107327.tif 000009
【図８】
2009107327.tif 000010
【図９】
2009107327.tif 000011
【外国語明細書】
2009107327000001.pdf